(57)【要約】【課題】ディスプレイを損傷させにくいディスプレイの周縁を覆うキャビネット端部の構造を提供する。【解決手段】本発明は、ディスプレイ（０６１０）と、ディスプレイキャビネット（０６２０）とを有するディスプレイ装置であって、前記ディスプレイキャビネットが、ディスプレイ面の周縁に覆いかぶさり、ディスプレイ央部に向けて徐々に薄肉厚となるひさし（０６３０）を有するディスプレイ装置を提供する。これにより、ひさし端部に加えられる外圧に対しても、ひさし全体として均等な応力を有することができる。また、ひさし端部に加えられた外圧によりひさしが撓んだ場合であっても、ひさしがディスプレイに接触することがない。そのため、ディスプレイの損傷や破損を防ぐことができる。【選択図】図６
2008003392.tif 000002
【特許請求の範囲】
【請求項１】
ディスプレイと、ディスプレイキャビネットと、を有するディスプレイ装置であって、
前記ディスプレイキャビネットは、ディスプレイ面の周縁に覆いかぶさり、ディスプレイ央部に向けて徐々に薄肉厚となるひさしを有するディスプレイ装置。
【請求項２】
前記ひさしは、ディスプレイ央部に向けて徐々にディスプレイ面から離間する形状である請求項１に記載のディスプレイ装置。
【請求項３】
前記ひさしのディスプレイ視聴側から見た表面はディスプレイ面と略平行な形状である請求項１又は２に記載のディスプレイ装置。
【請求項４】
前記ディスプレイは、ディスプレイガラス構体と、ディスプレイガラス構体の周縁を補強するベゼルとからなり、前記ひさしの先端側はディスプレイガラス構体上空に配置され、前記ひさしの根本側はベゼル側に配置されてベゼルにより接触支持されている請求項１から３のいずれか一に記載のディスプレイ装置。
【請求項５】
前記ひさしは、ディスプレイ視聴側から見て手前側の化粧板層と、奥側のキャビネット本体層との二層構造である請求項１から４のいずれか一に記載のディスプレイ装置。
【請求項６】
前記化粧板層のディスプレイ央部側先端は略Ｒ形状である請求項５に記載のディスプレイ装置。
【発明の詳細な説明】
【技術分野】
【０００１】
本発明は、ディスプレイ装置におけるディスプレイの周縁を覆うキャビネット端部の構造に関する。
【背景技術】
【０００２】
従来、ディスプレイ装置におけるディスプレイの周縁を覆うキャビネット端部形状は、特許文献１に示されているように平板状であったり、塵埃が入らないように、また内部が見えないようにするため、図８のような形状を有していた。
【特許文献１】特開２０００−１３２１１６号公報
【発明の開示】
【発明が解決しようとする課題】
【０００３】
しかし、キャビネットの端部の形状が平板状や図８のような形状である場合には、図８（２）のようにキャビネット（０８２０）の端部に外圧が加わった場合に、ディスプレイ（０８１０）に直接圧力が加わり、ディスプレイの損傷や破損が生じるといった問題があった。
【課題を解決するための手段】
【０００４】
上記課題を解決するために、（１）本発明は、ディスプレイと、ディスプレイキャビネットとを有するディスプレイ装置であって、前記ディスプレイキャビネットが、ディスプレイ面の周縁に覆いかぶさり、ディスプレイ央部に向けて徐々に薄肉厚となるひさしを有するディスプレイ装置を提供する。また、（２）本発明は、前記ひさしが、ディスプレイ央部に向けて徐々にディスプレイ面から離間する形状であるディスプレイ装置を提供する。また、（３）本発明は、前記ひさしのディスプレイ視聴側から見た表面が、ディスプレイ面と略平行な形状であるディスプレイ装置を提供する。さらに（４）本発明は、前記ディスプレイが、ディスプレイガラス構体と、ディスプレイガラス構体の周縁を補強するベゼルとからなり、前記ひさしの先端側がディスプレイガラス構体上空に配置され、前記ひさしの根本側がベゼル側に配置されてベゼルにより接触支持されているディスプレイ装置を提供する。（５）本発明は、前記ひさしが、ディスプレイ視聴側から見て手前側の化粧板層と、奥側のキャビネット本体層との二層構造であるディスプレイ装置を提供する。また、（６）本発明は、前記化粧板層のディスプレイ央部側先端が、略Ｒ形状であるディスプレイ装置を提供する。
【発明の効果】
【０００５】
本発明のディスプレイ装置によれば、ディスプレイ央部に向けて徐々に薄肉厚となる形状を有するひさしを有するため、ひさし端部に加えられる外圧に対しても、ひさし全体として均等な応力を有することができる。また、ひさしの形状をディスプレイ央部に向けて徐々にディスプレイ面から離間する形状とすることにより、ひさし端部に加えられた外圧によりひさしが撓んだ場合であっても、ひさしがディスプレイに接触することがない。そのため、ディスプレイの損傷や破損を防ぐことができる。
【０００６】
また、ディスプレイがベゼルを有するディスプレイ装置の場合には、ひさしがベゼルにより接触支持されているため、ひさしの加えられた外圧が直接ディスプレイガラス構体に加わることがない。これにより、ディスプレイの損傷や破損を防ぐことができる。
【０００７】
さらに、ひさしを化粧板層とキャビネット本体層の二層構造とすることにより、ひさしがディスプレイと接触しない形状であるとともに、ひさしが一層構造である場合に比べ、キャビネットに加えられた外圧に対して高い強度を得ることができる。また、化粧板層を有することにより、意匠性に優れたディスプレイ装置とすることができる。
【発明を実施するための最良の形態】
【０００８】
以下に図面を用いて本発明の実施の形態を説明する。本発明は、これらの実施の形態に限定されるものではなく、その要旨を逸脱しない範囲において、種々なる態様で実施しうる。なお、実施形態１は、主に請求項１から３に関する。実施形態２は、主に請求項４に関する。実施形態３は、主に請求項５、６に関する。
【０００９】
<<実施形態１>>
<実施形態１の構成>
図１は、本発明のディスプレイ装置の一例を示す全体図である。本実施形態の「ディスプレイ装置」（０１００）は、「ディスプレイ」（０１１０）と、「ディスプレイキャビネット」（０１２０）とからなり、さらにディスプレイキャビネットが「ひさし」を有する。
【００１０】
「ディスプレイ装置」（０１００）は、ディスプレイを有する電子機器をいい、例えば、テレビジョン受像機、カーナビゲーション装置、パーソナルコンピュータ、ＰＤＡ（Ｐｅｒｓｏｎａｌ  Ｄｉｇｉｔａｌ  Ａｓｓｉｓｔａｎｃｅ）などが該当する。図面においては、例としてテレビジョン受像機の場合を示している。
【００１１】
「ディスプレイ」（０１１０）は、例えば、液晶ディスプレイ、有機ＥＬ（Ｅｌｅｃｔｒｏ  Ｌｕｍｉｎｅｓｃｅｎｃｅ）ディスプレイ、無機ＥＬディスプレイ、ＶＦＤ（蛍光表示管）ディスプレイ、ＰＤＰ（プラズマディスプレイパネル）などが挙げられる。また、液晶ディスプレイの場合には、ＴＦＴ（Ｔｈｉｎ  Ｆｉｌｍ  Ｔｒａｎｓｉｓｔｏｒ）液晶や、ＳＴＮ（Ｓｕｐｅｒ  Ｔｗｉｓｔｅｄ  Ｎｅｍａｔｉｃ）液晶などが挙げられる。以下、液晶ディスプレイの場合を例に説明する。ディスプレイは、液晶パネル、偏光板、カラーフィルタ、導光板、拡散板、バックライトなどから構成されている。
【００１２】
図２は、ディスプレイキャビネットの一例を示している。「ディスプレイキャビネット」（０２２０）は、ディスプレイ装置の最前面を構成する部材であり、ディスプレイ面の周縁を覆う開口（０２２１）を有している。ディスプレイ面とは、前記ディスプレイの視聴者が視聴する側の面をいう。図２に示すディスプレイキャビネット（０２２０）は、スピーカ用の通気孔や、操作ボタン用の貫通孔、その他の部材との結合を行うための構成等を有しており、一の部材として成型されている。図においては一体成型されているものを例示したが、二以上の部材から構成されていてもよい。
【００１３】
「ひさし」は、図２に示すように、ディスプレイキャビネット（０２２０）の開口（０２２１）を形作る部分をいい、斜線にて示している部分（０２３０）をいう。図３（１）は、図１の点線にて囲んだ部分（０１２１）の拡大図、また図３（２）は図３（１）のＸ−Ｘ'断面を示している。図３（２）に示すように、本発明のひさし（０３３０）は、ディスプレイ（０３１０）面の周縁に覆いかぶさり、ディスプレイ央部に向けて徐々に薄肉厚となる形状を有するように構成されている。「覆いかぶさり」とは、図３（２）に示すように、ディスプレイ面の周縁に重なる領域を有するように配置されることをいう。このひさしと重なるディスプレイの領域は、液晶やディスプレイ回路などを有していない領域であることが好ましい。これは、ひさしに加えられた外圧により、液晶の漏れや回路の破損を防ぐためである。図に示すように、クッション材（０３１１）を配置してもよい。また、「ディスプレイ央部に向けて徐々に薄肉厚となる形状」の例を、図４（１）から（３）に示す。ひさしをこのような片持ち梁形状とすることにより、ひさしに加えられた外力に耐えうる応力を、ひさし全体に持たせることができる。図５を用いて、ひさしの端部に外力が加えられた場合のひさしの応力を考える。ひさしの付け根からの距離をＬとする。ひさしの端部に力Ｐが加えられたとき、ひさしに各断面に加えられるモーメントは、図５（２）のようになる。例えば、ひさしの付け根からの距離がｘの断面のモーメントはｙとなる。この各断面のモーメントに見合うことのできる厚みを、ひさしの各断面に持たせる必要がある。すなわち、最も大きなモーメントの加わるひさしの付け根部分（外圧によりディスプレイと接触し、支点となる部分）が、最も肉厚となる形状とすることが好ましい。
【００１４】
また、図４に示す形状の中でも、（２）（３）に示すディスプレイ央部に向けて徐々にディスプレイ面から離間する形状であることが好ましい。最も好ましい形状は、ひさしのディスプレイ視聴側から見た表面はディスプレイ面と略平行な形状（３）である。図４の右側にひさし（０４３０）の端部に圧力を加えた場合を示している。図４（１）の場合には、ひさしの端部がディスプレイ（０４１０）に接触してしまう可能性がある。しかし、（３）に示すような形状とすることにより、ひさしの端部に加えられた圧力によりひさしに撓みが生じた場合であっても、ひさしの端部がディスプレイ面に触れることがなく、ディスプレイを傷付けたりすることがない。
【００１５】
<実施形態１の効果>
本実施形態のディスプレイ装置によれば、ディスプレイ央部に向けて徐々に薄肉厚となる形状を有するひさしを有するため、ひさし端部に加えられる外圧に対しても、ひさし全体として均等な応力を有することができる。また、ひさしの形状をディスプレイ央部に向けて徐々にディスプレイ面から離間する形状とすることにより、ひさし端部に加えられた外圧によりひさしが撓んだ場合であっても、ひさしがディスプレイに接触することがない。そのため、ディスプレイの損傷や破損を防ぐことができる。
【００１６】
<<実施形態２>>
<実施形態２の構成>
図６は、本実施形態のディスプレイ装置の断面図の一例を示している。本実施形態の「ディスプレイ装置」は、実施形態１を基本とし、「ディスプレイ」（０６１０）と、「ひさし」（０６３０）を有する「ディスプレイキャビネット」（０６２０）を有し、ディスプレイが「ディスプレイガラス構体」（０６１１）と、「ベゼル」（０６１２）を有することを特徴とする。
【００１７】
「ディスプレイガラス構体」（０６１１）は、ディスプレイ（０６１０）の最前面を構成するガラス基板をいう。また、本実施形態のディスプレイは、「ベゼル」（０６１２）を有する。ベゼル（０６１２）は、ディスプレイガラス構体（０６１１）の周縁を補強するように構成されている。剛性の高い金属製のベゼルをディスプレイの周縁に配置することにより、ディスプレイガラス構体の周縁に加わる外圧からディスプレイを保護することができる。また、ベゼルは、導光板やバックライトなどのディスプレイを構成するその他の部材も取り囲むように構成されていてもよい。これにより、ディスプレイ全体をベゼルにより保護することができる。
【００１８】
本実施形態の「ひさし」（０６３０）は、実施形態１にて説明した形状を有し、先端側はディスプレイガラス構体（０６１１）上空に配置され、また根本側はベゼル（０６１２）側に配置されてベゼルにより接触支持されるように構成されている。「ディスプレイガラス構体上空」とは、ディスプレイガラス構体に重なる位置であるが、接触していない位置をいう。実施形態１の場合には、ひさしの端部に圧力が加えられた場合に、ひさしは撓み、ひさしの根本部分にてディスプレイと接触する。また、最初からひさしがディスプレイと接触していてもよく、この接触点が支点となり外圧に対するモーメントが発生する。本実施形態においては、この接触点部分にベゼルを配置することにより、外圧がディスプレイ（０６１０）に直接伝わらなくなる。
【００１９】
<実施形態２の効果>
本実施形態のディスプレイ装置によれば、ディスプレイがベゼルを有し、ひさしがベゼルにより接触支持されているため、ひさしの加えられた外圧が直接ディスプレイガラス構体に加わることがない。これにより、ディスプレイの損傷や破損を防ぐことができる。
【００２０】
<<実施形態３>>
<実施形態３の構成>
図７は、本実施形態のディスプレイ装置の断面図の一例を示している。本実施形態の「ディスプレイ装置」は、実施形態２を基本とし、「ディスプレイ」（０７１０）と、「ディスプレイキャビネット」（０７２０）とからなり、ディスプレイが「ディスプレイガラス構体」（０７１１）と、「ベゼル」（０７１２）とを有し、さらに、ディスプレイキャビネットの「ひさし」（０７３０）が「化粧板層」（０７２１）と、「キャビネット本体層」（０７２２）との二層構造であることを特徴とする。
【００２１】
「キャビネット本体層」（０７２２）は、ひさし（０７２０）のディスプレイ視聴側から見て奥側の層をいう。また、「化粧板層」（０７２１）は、ひさしのディスプレイ視聴側から見て手前側の層をいう。ひさしを二層構造とした場合であっても、ひさしの形状は全体として実施形態１にて説明した形状を有する。このように、キャビネット本体層の前面に化粧板層を配することにより、ひさしの外圧に対する強度は、化粧板層とキャビネット本体層を合わせた強度となり、同等厚の一層の場合よりも高い強度を得ることができる。また、化粧板層により、意匠性に優れたディスプレイ装置とすることができる。このとき、化粧板層のディスプレイ央部側先端は、０７２３にて示すような略Ｒ形状であってもよい。「略Ｒ形状」とは、端部を丸めた弧を描く形状をいう。
【００２２】
<実施形態３の効果>
本実施形態のディスプレイ装置によれば、ひさしがディスプレイとの接触が起こらない形状であるとともに、化粧板層とキャビネット本体層の二層構造であるため、キャビネットに加えられた外圧に対して高い強度を得ることができる。また、化粧板層を有することにより、意匠性に優れたディスプレイ装置とすることができる。
【図面の簡単な説明】
【００２３】
【図１】本発明のディスプレイ装置の一例を示す図
【図２】本発明のディスプレイキャビネットの一例を示す図
【図３】実施形態２のディスプレイ装置の一例を示す図
【図４】ひさしの形状の例を示す図
【図５】ひさしに加わる外力に対して必要な応力を説明する図
【図６】実施形態２のディスプレイ装置の一例を示す断面図
【図７】実施形態３のディスプレイ装置の一例を示す断面図
【図８】従来のディスプレイキャビネット端部の形状の一例を示す図
【符号の説明】
【００２４】
０１００    ディスプレイ装置
０６１０    ディスプレイ
０６２０    ディスプレイキャビネット
０６３０    ひさし
０６１１    ディスプレイガラス構体
０６１２    ベゼル
【図１】
2008003392.tif 000003
【図２】
2008003392.tif 000004
【図３】
2008003392.tif 000005
【図４】
2008003392.tif 000006
【図５】
2008003392.tif 000007
【図６】
2008003392.tif 000008
【図７】
2008003392.tif 000009
【図８】
2008003392.tif 000010